(57)【要約】【課題】適切な露光制御により、高精度な放射線位相コントラスト画像を生成する。【解決手段】放射線撮影システム１０は、第１の格子３１と、前記第１の格子を通過した放射線によって形成される放射線像のパターン周期に実質的に一致する周期を有し、前記放射線像に対して互いに位相の異なる複数の相対位置に置かれる第２の格子３２と、前記第２の格子によってマスキングされる前記放射線像を検出する放射線画像検出器３０と、前記第２の格子の下流に位置し、入射する放射線量を検出する線量検出部３５と、露光を制御する制御部２０と、を備えている。制御部２０は、第２の格子３２が互いに異なる前記相対位置に置かれる複数回の撮影において、１回目の撮影では、線量検出部３５によって検出される線量が予め設定された閾値線量に達するまで露光を継続するよう制御し、２回目以降の撮影では、前記１回目の撮影において要した露光時間が経過するまで露光を継続するよう制御する。【選択図】図１０
2014014379.tif 000002
【特許請求の範囲】
【請求項１】
第１の格子と、
前記第１の格子を通過した放射線によって形成される放射線像のパターン周期に実質的に一致する周期を有し、前記放射線像に対して互いに位相の異なる複数の相対位置に置かれる第２の格子と、
前記第２の格子によってマスキングされる前記放射線像を検出する放射線画像検出器と、
前記第２の格子を通過する放射線の進行方向に前記第２の格子より下流に位置し、入射する放射線量を検出する線量検出部と、
露光を制御する制御部と、
を備え、
前記制御部は、前記第２の格子が互いに異なる前記相対位置に置かれる複数回の撮影において、１回目の撮影では、前記線量検出部によって検出される線量が予め設定された閾値線量に達するまで露光を継続するよう制御し、２回目以降の撮影では、前記１回目の撮影において要した露光時間が経過するまで露光を継続するよう制御する放射線撮影システム。
【請求項２】
請求項１に記載の放射線撮影システムであって、
前記制御部は、露光時間を一定として前記第２の格子が互いに異なる前記相対位置に置かれる複数回のプレ撮影を行った際に前記線量検出部によって検出される線量の変化に基づいて、前記１回目の撮影における前記第２の格子の相対位置を定める放射線撮影システム。
【請求項３】
請求項２に記載の放射線撮影システムであって、
前記制御部は、前記複数回のプレ撮影を行った際に前記線量検出部によって検出される変化のなかで最小の線量が検出されるプレ撮影での前記第２の格子の相対位置を、前記１回目の撮影における前記第２の格子の相対位置とする放射線撮影システム。
【請求項４】
請求項１に記載の放射線撮影システムであって、
前記制御部は、露光時間を一定として前記第２の格子が互いに異なる前記相対位置に置かれる複数回のプレ撮影を行った際に前記線量検出部によって検出される線量の変化に基づいて、前記閾値線量を補正する放射線撮影システム。
【請求項５】
請求項４に記載の放射線撮影システムであって、
前記制御部は、前記複数回のプレ撮影を行った際の１回目のプレ撮影において前記線量検出部によって検出される線量が、その変化における最小の線量よりも大きい程、前記閾値線量を大きくする放射線撮影システム。
【請求項６】
請求項１に記載の放射線撮影システムであって、
前記第２の格子によってマスキングされた前記放射線像のパターン周期が、その周期方向に関する前記線量検出部の受光部の寸法より短い放射線撮影システム。
【請求項７】
請求項６に記載の放射線撮影システムであって、
前記第１の格子に対する前記第２の格子の相対姿勢及び相対位置の少なくともいずれか一方を変化させ、前記第２の格子によってマスキングされた前記放射線像のパターン周期を変更する変更機構をさらに備える放射線撮影システム。
【請求項８】
請求項７に記載の放射線撮影システムであって、
前記変更機構は、前記第１の格子に照射される放射線の光軸まわりに、前記第１の格子及び前記第２の格子の少なくともいずれか一方を回転させる放射線撮影システム。
【請求項９】
請求項７に記載の放射線撮影システムであって、
前記変更機構は、前記第１の格子に照射される放射線の光軸に対して、前記第１の格子及び前記第２の格子の少なくともいずれか一方を傾斜させる放射線撮影システム
【請求項１０】
請求項７に記載の放射線撮影システムであって、
前記変更機構は、前記第１の格子に照射される放射線の光軸に沿って前記第１の格子及び前記第２の格子の少なくともいずれか一方を移動させる放射線撮影システム。
【請求項１１】
請求項１に記載の放射線撮影システムであって、
前記線量検出部は、前記第２の格子と前記放射線画像検出器との間に配置されている放射線撮影システム。
【請求項１２】
請求項１に記載の放射線撮影システムであって、
前記線量検出部は、前記放射線画像検出器に設けられている放射線撮影システム。
【請求項１３】
請求項１に記載の放射線撮影システムであって、
前記線量検出部は、前記放射線画像検出器の裏に配置されている放射線撮影システム。
【請求項１４】
請求項１から１３のいずれか一項に記載の放射線撮影システムであって、
前記放射線画像検出器で取得される複数の放射線画像から、前記放射線画像検出器に入射する放射線の屈折角の分布を演算し、この屈折角の分布に基づいて、被写体の位相コントラスト画像を生成する演算部をさらに備える放射線撮影システム。
【請求項１５】
請求項１から１４のいずれか一項に記載の放射線撮影システムであって
前記第１の格子に向けて放射線を照射する放射線源をさらに備える放射線撮影システム。
【請求項１６】
第１の格子と、前記第１の格子を通過した放射線によって形成される放射線像のパターン周期に実質的に一致する周期を有する第２の格子と、を用い、前記第２の格子を前記放射線像に対して互いに位相の異なる相対位置に置いて複数回の撮影を行い、撮影毎に前記第２の格子によってマスキングされた前記放射線像を検出する放射線撮影方法であって、
１回目の撮影においては、前記第２の格子を通過する放射線の進行方向に前記第２の格子の下流において検出される線量が予め設定された閾値線量に達するまで露光を継続し、
２回目以降の撮影では、前記１回目の撮影において要した露光時間が経過するまで露光を継続する放射線撮影方法。
【請求項１７】
請求項１６に記載の放射線撮影方法であって、
露光時間を一定として前記第２の格子を前記放射線像に対して互いに位相の異なる相対位置に置いて複数回のプレ撮影を行い、その際に前記第２の格子の下流において検出される線量の変化に基づいて、前記１回目の撮影における前記第２の格子の相対位置を定める放射線撮影方法。
【請求項１８】
請求項１７に記載の放射線撮影方法であって、
前記複数回のプレ撮影を行った際に検出される前記線量の変化のなかで最小の線量が検出されるプレ撮影での前記第２の格子の相対位置を、前記１回目の撮影における前記第２の格子の相対位置とする放射線撮影方法。
【請求項１９】
請求項１６に記載の放射線撮影方法であって、
露光時間を一定として前記第２の格子を前記放射線像に対して互いに位相の異なる相対位置に置いて複数回のプレ撮影を行い、その際に前記第２の格子の下流において検出される線量の変化に基づいて、前記閾値線量を補正する放射線撮影方法。
【請求項２０】
請求項１９に記載の放射線撮影方法であって、
前記複数回のプレ撮影を行った際の１回目のプレ撮影において検出される前記線量が、その変化における最小の線量よりも大きい程、前記閾値線量を大きくする放射線撮影方法。
【請求項２１】
請求項１６に記載の放射線撮影方法であって、
前記第２の格子によってマスキングされた前記放射線像のパターン周期を、前記第２の格子の下流において線量を検出する線量検出器の受光部の周期方向に関する寸法より短くして、前記複数回の撮影を行う放射線撮影方法。
【請求項２２】
請求項２１に記載の放射線撮影方法であって、
前記第１の格子に対する前記第２の格子の相対姿勢及び相対位置の少なくともいずれか一方を変化させ、前記第２の格子によってマスキングされた前記放射線像のパターン周期を変更する放射線撮影方法。
【発明の詳細な説明】
【技術分野】
【０００１】
本発明は、放射線撮影システム及び放射線撮影方法に関する。
【背景技術】
【０００２】
Ｘ線は、物質を構成する元素の原子番号と、物質の密度及び厚さとに依存して減衰するといった特性を有することから、被写体の内部を透視するためのプローブとして用いられている。Ｘ線を用いた撮影は、医療診断や非破壊検査等の分野において広く普及している。
【０００３】
一般的なＸ線撮影システムでは、Ｘ線を放射するＸ線源とＸ線画像を検出するＸ線画像検出器との間に被写体を配置して、被写体の透過像を撮影する。この場合、Ｘ線源からＸ線画像検出器に向けて放射された各Ｘ線は、Ｘ線画像検出器までの経路上に存在する被写体を構成する物質の特性（原子番号、密度、厚さ）の差異に応じた量の減衰（吸収）を受けた後、Ｘ線画像検出器に入射する。この結果、被写体のＸ線透過像がＸ線画像検出器により検出され画像化される。Ｘ線画像検出器としては、Ｘ線増感紙とフイルムとの組み合わせや輝尽性蛍光体（蓄積性蛍光体）のほか、半導体回路を用いたフラットパネル検出器（ＦＰＤ：Flat Panel Detector）が広く用いられている。また、被写体によって異なる必要露光量に対して、Ｘ線画像検出器により得られる画像の濃度を安定させるため、あるいは必要以上に露光されることによる被写体の過度の被爆を防止するために、自動露光制御が行われている。自動露光制御では、一般に、被写体を透過したＸ線の線量が線量検出器で検出され、線量検出器で検出される線量が予め設定された閾値線量に達したところでＸ線の照射が停止される。
【０００４】
しかし、Ｘ線吸収能は、原子番号が小さい元素からなる物質ほど低くなり、生体軟部組織やソフトマテリアルなどでは、Ｘ線吸収能の差が小さく、従ってＸ線透過像としての十分な画像の濃淡（コントラスト）が得られないといった問題がある。例えば、人体の関節を構成する軟骨部とその周辺の関節液は、いずれも殆どの成分が水であり、両者のＸ線の吸収量の差が小さいため、画像のコントラストが得られにくい。
【０００５】
このような問題を背景に、近年、被写体によるＸ線の強度変化に代えて、被写体によるＸ線の位相変化（角度変化）に基づいた画像（以下、位相コントラスト画像と称する）を得るＸ線位相イメージングの研究が盛んに行われている。一般に、Ｘ線が物体に入射したとき、Ｘ線の強度よりも位相のほうが高い相互作用を示すことが知られている。このため、位相差を利用したＸ線位相イメージングでは、Ｘ線吸収能が低い弱吸収物体であっても高コントラストの画像を得ることができる。このようなＸ線位相イメージングの一種として、近年、２枚の透過回折格子（位相型格子及び吸収型格子）とＸ線画像検出器とからなるＸ線タルボ干渉計を用いたＸ線撮影システムが考案されている（例えば、特許文献１参照）。
【０００６】
Ｘ線タルボ干渉計は、被写体の背後に第１の回折格子（位相型格子あるいは吸収型格子）を配置し、第１の回折格子の格子ピッチとＸ線波長で決まる特定距離（タルボ干渉距離）だけ下流に第２の回折格子（吸収型格子）を配置し、その背後にＸ線画像検出器を配置することにより構成される。上記タルボ干渉距離とは、第１の回折格子を通過したＸ線が、タルボ干渉効果によって自己像を形成する距離であり、この自己像は、Ｘ線源と第１の回折格子との間に配置された被写体とＸ線との相互作用（位相変化）により変調を受ける。
【０００７】
Ｘ線タルボ干渉計では、第１の回折格子の自己像と第２の回折格子との重ね合わせにより生じるモアレ縞を検出し、被写体によるモアレ縞の変化を解析することによって被写体の位相情報を取得する。モアレ縞の解析方法としては、例えば縞走査法が知られている。この縞走査法によると、第１の回折格子に対して第２の回折格子を、第１の回折格子の面にほぼ平行で、かつ第１の回折格子の格子方向（条帯方向）にほぼ垂直な方向に、格子ピッチを等分割した走査ピッチで並進移動させながら複数回の撮影を行い、Ｘ線画像検出器で得られる各画素の信号値の変化から、被写体で屈折したＸ線の角度分布（位相シフトの微分像）を取得し、この角度分布に基づいて被写体の位相コントラスト画像を得ることができる。
【０００８】
そして、特許文献１には、第１及び第２の回折格子を用いた縞走査法によるＸ線位相イメージングにおいて、上記の自動露光制御を行うことが記載されている。
【先行技術文献】
【特許文献】
【０００９】
【特許文献１】国際公開第０８／１０２５９８号
【発明の概要】
【発明が解決しようとする課題】
【００１０】
第１及び第２の回折格子を用いた縞走査法によるＸ線位相イメージングにおいて、第１の回折格子を通過したＸ線が形成する放射線像は、上記の通り、第２の回折格子が重ね合わされることによって、第２の回折格子の下流のＸ線画像検出器の受像面上でモアレ縞を形成している。よって、Ｘ線画像検出器で検出される画像にはモアレ縞が含まれるが、医療診断や非破壊検査において、最終的にはモアレ縞の影響が除去されたＸ線位相コントラスト画像が提示されることが好ましい。しかし、第１及び第２の回折格子の格子ピッチの誤差、第２の回折格子の走査誤差、等の程度によっては、モアレ縞の周期が短くなるのに伴ってＸ線位相コントラスト画像からモアレ縞の影響を除去することが困難となり、画質が低下する場合がある。そのため、モアレ縞の周期は長いほうが好ましい。
【００１１】
特許文献１には、線量検出器の位置について特に記載されていないが、一般に、線量検出器はＸ線画像検出器の裏に配置される。その場合、第１及び第２の回折格子を用いた縞走査法によるＸ線位相イメージングにおいては、線量検出器は第２の回折格子の下流に位置することになり、線量検出器の受光部上においてもモアレ縞が形成される。このモアレ縞は第２の回折格子の走査に伴って移動し、モアレ縞の周期が周期方向に関する線量検出器の受光部の寸法よりも長くなると、モアレ縞の暗部が受光部に重なるときと、暗部が受光部に重ならないときとで、線量検出器に単位時間当たりに入射するＸ線の線量が大きく変動する。
【００１２】
上記の自動露光制御は、線量検出器の受光部に単位時間当たりに入射するＸ線の線量の変動をキャンセルするように、Ｘ線の照射時間を延長あるいは短縮する。結果、撮影間の照射線量にバラツキが発生し、撮影間の照射線量のバラツキは第２の回折格子の走査とは別に各画素の信号値に変化をもたらす。例えば、線量検出器の受光部と同位相でモアレ縞の暗部が重なるＸ線画像検出器の画素では、第２の回折格子の走査によって本来得られるはずの信号値の変化が減弱され、また、線量検出器の受光部と逆位相でモアレ縞の暗部が重なるＸ線画像検出器の画素では、第２の回折格子の走査によって本来得られるはずの信号値の変化が強調される。
【００１３】
第１及び第２の回折格子を用いた縞走査法によるＸ線位相イメージングは、上記の通り、第２の回折格子の走査に伴う各画素の信号値の変化から被写体の位相情報を検出するものであり、第２の回折格子の走査とは別の要因による各画素の信号値の変化は、被写体の位相情報の検出精度を低下させる。
【００１４】
本発明は、上述した事情に鑑みなされたものであり、適切な露光制御により、高精度な放射線位相コントラスト画像を生成することを目的とする。
【課題を解決するための手段】
【００１５】
（１）第１の格子と、前記第１の格子を通過した放射線によって形成される放射線像のパターン周期に実質的に一致する周期を有し、前記放射線像に対して互いに位相の異なる複数の相対位置に置かれる第２の格子と、前記第２の格子によってマスキングされる前記放射線像を検出する放射線画像検出器と、前記第２の格子を通過する放射線の進行方向に前記第２の格子の下流に位置し、入射する放射線量を検出する線量検出部と、露光を制御する制御部と、を備え、前記制御部は、前記第２の格子が互いに異なる前記相対位置に置かれる複数回の撮影において、１回目の撮影では、前記線量検出部によって検出される線量が予め設定された閾値線量に達するまで露光を継続するよう制御し、２回目以降の撮影では、前記１回目の撮影において要した露光時間が経過するまで露光を継続するよう制御する放射線撮影システム。
（２）  第１の格子と、前記第１の格子を通過した放射線によって形成される放射線像のパターン周期に実質的に一致する周期を有する第２の格子と、を用い、前記第２の格子を前記放射線像に対して互いに位相の異なる相対位置に置いて複数回の撮影を行い、撮影毎に前記第２の格子によってマスキングされた前記放射線像を検出する放射線撮影方法であって、１回目の撮影においては、前記第２の格子を通過する放射線の進行方向に前記第２の格子の下流において検出される線量が予め設定された閾値線量に達するまで露光を継続し、２回目以降の撮影では、前記１回目の撮影において要した露光時間が経過するまで露光を継続する放射線撮影方法。
【発明の効果】
【００１６】
本発明によれば、１回目の撮影では、線量検出器によって検出される線量に基づいて露光制御が行われ、２回目以降の撮影では、１回目の撮影に要した露光時間に基づいて露光制御が行われることにより、被写体によって異なる必要露光量が確保されると共に、撮影間の照射線量のバラツキが防止される。それにより、高精度な放射線位相コントラスト画像を生成することができる。
【図面の簡単な説明】
【００１７】
【図１】本発明の実施形態を説明するための放射線撮影システムの一例の構成を示す模式図である。
【図２】図１の放射線撮影システムの制御ブロック図である。
【図３】図１の放射線撮影システムの射線画像検出器の構成を示す模式図である。
【図４】図１の放射線撮影システムの撮影部の斜視図である。
【図５】図１の放射線撮影システムの撮影部の側面図である。
【図６】第１及び第２の格子の重ね合わせによるモアレ縞の周期を変更するための機構を示す模式図である。
【図７】被写体による放射線の屈折を説明するための模式図である。
【図８】縞走査法を説明するための模式図である。
【図９】縞走査に伴う放射線画像検出器の画素の信号を示すグラフである。
【図１０】図１の放射線撮影システムによる撮影方法を示すフローチャートである。
【図１１】図１の放射線撮影システムの変形例に関し、その放射線画像検出器の構成を示す模式図である。
【図１２】図１の放射線撮影システムの変形例に関し、その撮影方法を示すフローチャートである。
【図１３】図１の放射線撮影システムの他の変形例に関し、その撮影方法を示すフローチャートである。
【図１４】図１の放射線撮影システムの他の変形例に関し、その撮影方法を示す模式図である。
【図１５】本発明の実施形態を説明するための放射線撮影システムの他の例の構成を示す模式図である。
【図１６】図１５の放射線撮影システムの変形例の構成を示す模式図である。
【図１７】本発明の実施形態を説明するための放射線撮影システムの他の例の構成を示す模式図である。
【図１８】本発明の実施形態を説明するための放射線撮影システムの他の例に関し、放射線画像を生成する演算部の構成を示すブロック図である。
【図１９】図１８の放射線撮影システムの演算部の処理を説明するための放射線画像検出器の画素の信号を示すグラフである。
【発明を実施するための形態】
【００１８】
図１は、本発明の実施形態を説明するための放射線撮影システムの一例の構成を示し、図２は、図１の放射線撮影システムの制御ブロックを示す。
【００１９】
Ｘ線撮影システム１０は、被写体（患者）Ｈを立位状態で撮影するＸ線診断装置であって、被写体ＨにＸ線を放射するＸ線源１１と、Ｘ線源１１に対向配置され、Ｘ線源１１から被写体Ｈを透過したＸ線を検出して画像データを生成する撮影部１２と、操作者の操作に基づいてＸ線源１１の曝射動作や撮影部１２の撮影動作を制御するとともに、撮影部１２により取得された画像データを演算処理して位相コントラスト画像を生成するコンソール１３とに大別される。
【００２０】
Ｘ線源１１は、天井から吊り下げられたＸ線源保持装置１４により上下方向（Ｘ方向）に移動自在に保持されている。撮影部１２は、床上に設置された立位スタンド１５により上下方向に移動自在に保持されている。
【００２１】
Ｘ線源１１は、Ｘ線源制御部１７の制御に基づき、高電圧発生器１６から印加される高電圧に応じてＸ線を発生するＸ線管１８と、Ｘ線管１８から発せられたＸ線のうち、被写体Ｈの検査領域の撮影に寄与しない部分を遮蔽するように照射野を制限する可動式のコリメータ１９ａを備えたコリメータユニット１９とから構成されている。Ｘ線管１８は、陽極回転型であり、電子放出源（陰極）としてのフィラメント（図示せず）から電子線を放出して、所定の速度で回転する回転陽極１８ａに衝突させることによりＸ線を発生する。この回転陽極１８ａの電子線の衝突部分がＸ線焦点１８ｂとなる。
【００２２】
Ｘ線源保持装置１４は、天井に設置された天井レール（図示せず）により水平方向（ｚ方向）に移動自在に構成された台車部１４ａと、上下方向に連結された複数の支柱部１４ｂとからなる。台車部１４ａには、支柱部１４ｂを伸縮させて、Ｘ線源１１の上下方向に関する位置を変更するモータ（図示せず）が設けられている。
【００２３】
立位スタンド１５は、床に設置された本体１５ａに、撮影部１２を保持する保持部１５ｂが上下方向に移動自在に取り付けられている。保持部１５ｂは、上下方向に離間して配置された２つのプーリ１５ｃの間に掛架された無端ベルト１５ｄに接続され、プーリ１５ｃを回転させるモータ（図示せず）により駆動される。このモータの駆動は、操作者の設定操作に基づき、後述するコンソール１３の制御装置２０により制御される。
【００２４】
また、立位スタンド１５には、プーリ１５ｃ又は無端ベルト１５ｄの移動量を計測することにより、撮影部１２の上下方向に関する位置を検出するポテンショメータ等の位置センサ（図示せず）が設けられている。この位置センサの検出値は、ケーブル等によりＸ線源保持装置１４に供給される。Ｘ線源保持装置１４は、供給された検出値に基づいて支柱部１４ｂを伸縮させ、撮影部１２の上下動に追従するようにＸ線源１１を移動させる。
【００２５】
コンソール１３には、ＣＰＵ、ＲＯＭ、ＲＡＭ等からなる制御装置２０が設けられている。制御装置２０には、操作者が撮影指示やその指示内容を入力する入力装置２１と、撮影部１２により取得された画像データを演算処理してＸ線画像を生成する演算処理部２２と、Ｘ線画像を記憶する記憶部２３と、Ｘ線画像等を表示するモニタ２４と、Ｘ線撮影システム１０の各部と接続されるインターフェース（Ｉ／Ｆ）２５とがバス２６を介して接続されている。
【００２６】
入力装置２１としては、例えば、スイッチ、タッチパネル、マウス、キーボード等を用いることが可能であり、入力装置２１の操作により、Ｘ線管電圧や後述する線量検出器で検出されるＸ線の線量に対する閾値線量等のＸ線撮影条件、撮影タイミング等が入力される。モニタ２４は、液晶ディスプレイ等からなり、制御装置２０の制御により、Ｘ線撮影条件等の文字やＸ線画像を表示する。
【００２７】
撮影部１２には、半導体回路からなるフラットパネル検出器（ＦＰＤ）３０、被写体ＨによるＸ線の位相変化（角度変化）を検出し位相イメージングを行うための第１の吸収型格子３１及び第２の吸収型格子３２、そして線量検出器３５が設けられている。
【００２８】
ＦＰＤ３０は、検出面がＸ線源１１から照射されるＸ線の光軸Ａに直交するように配置されている。詳しくは後述するが、第１及び第２の吸収型格子３１，３２は、ＦＰＤ３０とＸ線源１１との間に配置されている。
【００２９】
線量検出器３５は、ＦＰＤ３０の裏に配置され、被写体Ｈの下流に位置しており、被写体Ｈを透過したＸ線の線量を検出する。線量検出器３５のＸ線受光部としては、例えば、蛍光体と光電子倍増管との組み合わせや、イオンチェンバーや、半導体回路を用いたＸ線検出器などが用いられる。
【００３０】
また、撮影部１２には、第２の吸収型格子３２を上下方向（Ｘ方向）に並進移動させることにより、第１の吸収型格子３１に対する第２の吸収型格子３２の相対位置関係を変化させる走査機構３３が設けられている。この走査機構３３は、例えば、圧電素子等のアクチュエータにより構成される。
【００３１】
図３は、図１の放射線撮影システムに含まれる放射線画像検出器の構成を示す。
【００３２】
放射線画像検出器としてのＦＰＤ３０は、Ｘ線を電荷に変換して蓄積する複数の画素４０がアクティブマトリクス基板上にＸｙ方向に２次元配列されてなる受像部４１と、受像部４１からの電荷の読み出しタイミングを制御する走査回路４２と、各画素４０に蓄積された電荷を読み出し、電荷を画像データに変換して記憶する読み出し回路４３と、画像データをコンソール１３のＩ／Ｆ２５を介して演算処理部２２に送信するデータ送信回路４４とから構成されている。なお、走査回路４２と各画素４０とは、行毎に走査線４５によって接続されており、読み出し回路４３と各画素４０とは、列毎に信号線４６によって接続されている。
【００３３】
各画素４０は、アモルファスセレン等の変換層（図示せず）でＸ線を電荷に直接変換し、変換された電荷を変換層の下部の電極に接続されたキャパシタ（図示せず）に蓄積する直接変換型の素子として構成することができる。各画素４０には、薄膜トランジスタ（ＴＦＴ:Thin Film Transistor）スイッチ（図示せず）が接続され、ＴＦＴスイッチのゲート電極が走査線４５、ソース電極がキャパシタ、ドレイン電極が信号線４６に接続される。ＴＦＴスイッチが走査回路４２からの駆動パルスによってＯＮ状態になると、キャパシタに蓄積された電荷が信号線４６に読み出される。
【００３４】
なお、各画素４０は、酸化ガドリニウム（Ｇｄ２Ｏ３）やヨウ化セシウム（ＣｓＩ）等からなるシンチレータ（図示せず）でＸ線を一旦可視光に変換し、変換された可視光をフォトダイオード（図示せず）で電荷に変換して蓄積する間接変換型のＸ線検出素子として構成することも可能である。また、Ｘ線画像検出器としては、ＴＦＴパネルをベースとしたＦＰＤに限られず、ＣＣＤセンサやＣＭＯＳセンサ等の固体撮像素子をベースとした各種のＸ線画像検出器を用いることも可能である。
【００３５】
読み出し回路４３は、積分アンプ回路、Ａ／Ｄ変換器、補正回路、及び画像メモリ（いずれも図示せず）により構成されている。積分アンプ回路は、各画素４０から信号線４６を介して出力された電荷を積分して電圧信号（画像信号）に変換して、Ａ／Ｄ変換器に入力する。Ａ／Ｄ変換器は、入力された画像信号をデジタルの画像データに変換して補正回路に入力する。補正回路は、画像データに対して、オフセット補正、ゲイン補正、及びリニアリティ補正を行い、補正後の画像データを画像メモリに記憶させる。なお、補正回路による補正処理として、Ｘ線の露光量や露光分布（いわゆるシェーディング）の補正や、ＦＰＤ３０の制御条件（駆動周波数や読み出し期間）に依存するパターンノイズ（例えば、ＴＦＴスイッチのリーク信号）の補正等を含めてもよい。
【００３６】
図４及び図５は、図１の放射線撮影システムの撮影部を示す。
【００３７】
第１の吸収型格子３１は、基板３１ａと、この基板３１ａに配置された複数のＸ線遮蔽部３１ｂとから構成されている。同様に、第２の吸収型格子３２は、基板３２ａと、この基板３２ａに配置された複数のＸ線遮蔽部３２ｂとから構成されている。基板３１ａ，３１ｂは、いずれもＸ線を透過させるガラス等のＸ線透過性部材により形成されている。
【００３８】
Ｘ線遮蔽部３１ｂ，３２ｂは、いずれもＸ線源１１から照射されるＸ線の光軸Ａに直交する面内の一方向（図示の例では、Ｘ方向及びｚ方向に直交するｙ方向）に延伸した線状の部材で構成される。各Ｘ線遮蔽部３１ｂ，３２ｂの材料としては、Ｘ線吸収性に優れるものが好ましく、例えば、金、白金等の重金属であることが好ましい。これらのＸ線遮蔽部３１ｂ，３２ｂは、金属メッキ法や蒸着法によって形成することが可能である。
【００３９】
Ｘ線遮蔽部３１ｂは、Ｘ線の光軸Ａに直交する面内において、上記一方向と直交する方向（Ｘ方向）に一定の周期ｐ１で、互いに所定の間隔ｄ１を空けて配列されている。同様に、Ｘ線遮蔽部３２ｂは、Ｘ線の光軸Ａに直交する面内において、上記一方向と直交する方向（Ｘ方向）に一定の周期ｐ２で、互いに所定の間隔ｄ２を空けて配列されている。このような第１及び第２の吸収型格子３１，３２は、入射Ｘ線に位相差を与えるものでなく、強度差を与えるものであるため、振幅型格子とも称される。なお、スリット部（上記間隔ｄ１，ｄ２の領域）は空隙でなくてもよく、例えば、高分子や軽金属などのＸ線低吸収材で該空隙を充填してもよい。
【００４０】
第１及び第２の吸収型格子３１，３２は、タルボ干渉効果の有無に係らず、スリット部を通過したＸ線を幾何学的に投影するように構成されている。具体的には、間隔ｄ１，ｄ２を、Ｘ線源１１から照射されるＸ線のピーク波長より十分大きな値とすることで、照射Ｘ線に含まれる大部分のＸ線をスリット部で回折させずに、直進性を保ったまま通過するように構成する。例えば、前述の回転陽極１８ａとしてタングステンを用い、管電圧を５０ｋＶとした場合には、Ｘ線のピーク波長は、約０．４Åである。この場合には、間隔ｄ１，ｄ２を、１〜１０μｍ程度とすれば、スリット部で大部分のＸ線が回折されずに幾何学的に投影される。
【００４１】
Ｘ線源１１から放射されるＸ線は、平行ビームではなく、Ｘ線焦点１８ｂを発光点としたコーンビームであるため、第１の吸収型格子３１を通過して射影される投影像（以下、この投影像をＧ１像と称する）は、Ｘ線焦点１８ｂからの距離に比例して拡大される。第２の吸収型格子３２の格子ピッチｐ２及び間隔ｄ２は、そのスリット部が、第２の吸収型格子３２の位置におけるＧ１像の明部の周期パターンとほぼ一致するように決定されている。すなわち、Ｘ線焦点１８ｂから第１の吸収型格子３１までの距離をＬ１、第１の吸収型格子３１から第２の吸収型格子３２までの距離をＬ２とした場合に、格子ピッチｐ２及び間隔ｄ２は、次式（１）及び（２）の関係を満たすように決定される。
【００４２】
【数１】
2014014379.tif 000003
【００４３】
【数２】
2014014379.tif 000004
【００４４】
第１の吸収型格子３１から第２の吸収型格子３２までの距離Ｌ２は、タルボ干渉計では、第１の回折格子の格子ピッチとＸ線波長とで決まるタルボ干渉距離に制約されるが、本Ｘ線撮影システム１０の撮影部１２では、第１の吸収型格子３１が入射Ｘ線を回折させずに投影させる構成であって、第１の吸収型格子３１のＧ１像が、第１の吸収型格子３１の後方のすべての位置で相似的に得られるため、該距離Ｌ２を、タルボ干渉距離と無関係に設定することができる。
【００４５】
上記のように撮影部１２は、タルボ干渉計を構成するものではないが、第１の吸収型格子３１でＸ線を回折したと仮定した場合のタルボ干渉距離Ｚは、第１の吸収型格子３１の格子ピッチｐ１、第２の吸収型格子３２の格子ピッチｐ２、Ｘ線波長（ピーク波長）λ、及び正の整数ｍを用いて、次式（３）で表される。
【００４６】
【数３】
2014014379.tif 000005
【００４７】
式（３）は、Ｘ線源１１から照射されるＸ線がコーンビームである場合のタルボ干渉距離を表す式であり、「Atsushi Momose, et al., Japanese Journal of Applied Physics, Vol.47, No.10, 2008年10月, 8077頁」により知られている。
【００４８】
本Ｘ線撮影システム１０では、撮影部１２の薄型化を目的とし、上記距離Ｌ２を、ｍ＝１の場合の最小のタルボ干渉距離Ｚより短い値に設定する。すなわち、上記距離Ｌ２は、次式（４）を満たす範囲の値に設定される。
【００４９】
【数４】
2014014379.tif 000006
【００５０】
なお、Ｘ線源１１から照射されるＸ線が実質的に平行ビームとみなせる場合のタルボ干渉距離Ｚは次式（５）となり、上記距離Ｌ２を、次式（６）を満たす範囲の値に設定する。
【００５１】
【数５】
2014014379.tif 000007
【００５２】
【数６】
2014014379.tif 000008
【００５３】
Ｘ線遮蔽部３１ｂ，３２ｂは、コントラストの高い周期パターン像を生成するためには、Ｘ線を完全に遮蔽（吸収）することが好ましいが、上記したＸ線吸収性に優れる材料（金、白金等）を用いたとしても、吸収されずに透過するＸ線が少なからず存在する。このため、Ｘ線の遮蔽性を高めるためには、Ｘ線遮蔽部３１ｂ，３２ｂのそれぞれの厚みｈ１，ｈ２を、可能な限り厚くすることが好ましい。例えば、Ｘ線管１８の管電圧が５０ｋＶの場合に、照射Ｘ線の９０％以上を遮蔽することが好ましく、この場合には、厚みｈ１，ｈ２は、金（Ａｕ）換算で３０μｍ以上であることが好ましい。
【００５４】
一方、Ｘ線遮蔽部３１ｂ，３２ｂの厚みｈ１，ｈ２を厚くし過ぎると、斜めに入射するＸ線がスリット部を通過しにくくなり、いわゆるケラレが生じて、Ｘ線遮蔽部３１ｂ，３２ｂの延伸方向（条帯方向）に直交する方向（Ｘ方向）の有効視野が狭くなるといった問題がある。このため、視野確保の観点から、厚みｈ１，ｈ２の上限を規定する。ＦＰＤ３０の検出面におけるＸ方向の有効視野の長さＶを確保するには、Ｘ線焦点１８ｂからＦＰＤ３０の検出面までの距離をＬとすると、厚みｈ１，ｈ２は、図５に示す幾何学的関係から、次式（７）及び（８）を満たすように設定する必要がある。
【００５５】
【数７】
2014014379.tif 000009
【００５６】
【数８】
2014014379.tif 000010
【００５７】
例えば、ｄ１＝２．５μｍ、ｄ２＝３．０μｍであり、通常の病院での撮影を想定して、Ｌ＝２ｍとした場合には、Ｘ方向の有効視野の長さＶとして１０ｃｍの長さを確保するには、厚みｈ１は１００μｍ以下、厚みｈ２は１２０μｍ以下とすればよい。
【００５８】
以上のように構成された撮影部１２では、第１の吸収型格子３１のＧ１像と第２の吸収型格子３２との重ね合わせにより、強度変調された像が形成され、ＦＰＤ３０によって撮像される。第２の吸収型格子３２の位置におけるＧ１像のパターン周期ｐ１’と、第２の吸収型格子３２の実質的な格子ピッチｐ２’（製造後の実質的なピッチ）とは、製造誤差や配置誤差により若干の差異が生じる。このうち、配置誤差とは、第１及び第２の吸収型格子３１，３２が、相対的に傾斜や回転、両者の間隔が変化することによりＸ方向への実質的なピッチが変化することを意味している。
【００５９】
Ｇ１像のパターン周期ｐ１’と格子ピッチｐ２’との微小な差異により、画像コントラストはモアレ縞となる。このモアレ縞の周期Ｔは、次式（９）で表される。
【００６０】
【数９】
2014014379.tif 000011
【００６１】
このモアレ縞をＦＰＤ３０で検出するには、画素４０のＸ方向に関する配列ピッチＰは、少なくとも次式（１０）を満たす必要があり、更には、次式（１１）を満たすことが好ましい（ここで、ｎは正の整数である）。
【００６２】
【数１０】
2014014379.tif 000012
【００６３】
【数１１】
2014014379.tif 000013
【００６４】
式（１０）は、配列ピッチＰがモアレ周期Ｔの整数倍でないことを意味しており、ｎ≧２の場合であっても原理的にモアレ縞を検出することが可能である。式（１１）は、配列ピッチＰをモアレ周期Ｔより小さくすることを意味している。
【００６５】
ＦＰＤ３０の画素４０の配列ピッチＰは、設計的に定められた値（一般的に１００μｍ程度）であり変更することが困難であるため、配列ピッチＰとモアレ周期Ｔとの大小関係を調整するには、第１及び第２の吸収型格子３１，３２の位置調整を行い、Ｇ１像のパターン周期ｐ１’と格子ピッチｐ２’との少なくともいずれか一方を変更することによりモアレ周期Ｔを変更することが好ましい。
【００６６】
図６に、モアレ周期Ｔを変更する方法を示す。
【００６７】
モアレ周期Ｔの変更は、第１及び第２の吸収型格子３１，３２のいずれか一方を、光軸Ａを中心として相対的に回転させることにより行うことができる。例えば、第１の吸収型格子３１に対して、第２の吸収型格子３２を、光軸Ａを中心として相対的に回転させる相対回転機構５０を設ける。この相対回転機構５０により、第２の吸収型格子３２を角度θだけ回転させると、Ｘ方向に関する実質的な格子ピッチは、「ｐ２’」→「ｐ２’／ｃｏｓθ」と変化し、この結果、モアレ周期Ｔが変化する（ＦＩＧ．６Ａ）。
【００６８】
別の例として、モアレ周期Ｔの変更は、第１及び第２の吸収型格子３１，３２のいずれか一方を、光軸Ａに直交し、かつｙ方向に沿う方向の軸を中心として相対的に傾斜させることにより行うことができる。例えば、第１の吸収型格子３１に対して、第２の吸収型格子３２を、光軸Ａに直交し、かつｙ方向に沿う方向の軸を中心として相対的に傾斜させる相対傾斜機構５１を設ける。この相対傾斜機構５１により、第２の吸収型格子３２を角度αだけ傾斜させると、Ｘ方向に関する実質的な格子ピッチは、「ｐ２’」→「ｐ２’×ｃｏｓα」と変化し、この結果、モアレ周期Ｔが変化する（ＦＩＧ．６Ｂ）。
【００６９】
更に別の例として、モアレ周期Ｔの変更は、第１及び第２の吸収型格子３１，３２のいずれか一方を光軸Ａの方向に沿って相対的に移動させることにより行うことができる。例えば、第１の吸収型格子３１と第２の吸収型格子３２との間の距離Ｌ２を変更するように、第１の吸収型格子３１に対して、第２の吸収型格子３２を、光軸Ａの方向に沿って相対的に移動させる相対移動機構５２を設ける。この相対移動機構５２により、第２の吸収型格子３２を光軸Ａに移動量δだけ移動させると、第２の吸収型格子３２の位置に投影される第１の吸収型格子３１のＧ１像のパターン周期は、「ｐ１’」→「ｐ１’×（Ｌ１＋Ｌ２＋δ）／（Ｌ１＋Ｌ２）」と変化し、この結果、モアレ周期Ｔが変化する（ＦＩＧ．６Ｃ）。
【００７０】
本Ｘ線撮影システム１０において、撮影部１２は、上述のようにタルボ干渉計ではなく、距離Ｌ２を自由に設定することができるため、相対移動機構５２のように距離Ｌ２の変更によりモアレ周期Ｔを変更する機構を、好適に採用することができる。モアレ周期Ｔを変更するための第１及び第２の吸収型格子３１，３２の上記変更機構（相対回転機構５０、相対傾斜機構５１、及び相対移動機構５２）は、圧電素子等のアクチュエータにより構成することが可能である。
【００７１】
Ｘ線源１１と第１の吸収型格子３１との間に被写体Ｈを配置した場合には、ＦＰＤ３０により検出されるモアレ縞は、被写体Ｈにより変調を受ける。この変調量は、被写体Ｈによる屈折効果によって偏向したＸ線の角度に比例する。したがって、ＦＰＤ３０で検出されたモアレ縞を解析することによって、被写体Ｈの位相コントラスト画像を生成することができる。
【００７２】
次に、モアレ縞の解析方法について説明する。
【００７３】
図７は、被写体ＨのＸ方向に関する位相シフト分布Φ（Ｘ）に応じて屈折される１つのＸ線を示す。
【００７４】
符号５５は、被写体Ｈが存在しない場合に直進するＸ線の経路を示しており、この経路５５を進むＸ線は、第１及び第２の吸収型格子３１，３２を通過してＦＰＤ３０に入射する。符号５６は、被写体Ｈが存在する場合に、被写体Ｈにより屈折されて偏向したＸ線の経路を示している。この経路５６を進むＸ線は、第１の吸収型格子３１を通過した後、第２の吸収型格子３２より遮蔽される。
【００７５】
被写体Ｈの位相シフト分布Φ（Ｘ）は、被写体Ｈの屈折率分布をｎ（Ｘ，ｚ）、ｚをＸ線の進む方向として、次式（１２）で表される。
【００７６】
【数１２】
2014014379.tif 000014
【００７７】
第１の吸収型格子３１から第２の吸収型格子３２の位置に投射されたＧ１像は、被写体ＨでのＸ線の屈折により、その屈折角φに応じた量だけＸ方向に変位することになる。この変位量ΔＸは、Ｘ線の屈折角φが微小であることに基づいて、近似的に次式（１３）で表される。
【００７８】
【数１３】
2014014379.tif 000015
【００７９】
ここで、屈折角φは、Ｘ線波長λと被写体Ｈの位相シフト分布Φ（Ｘ）を用いて、式（１４）で表される。
【００８０】
【数１４】
2014014379.tif 000016
【００８１】
このように、被写体ＨでのＸ線の屈折によるＧ１像の変位量ΔＸは、被写体Ｈの位相シフト分布Φ（Ｘ）に関連している。そして、この変位量ΔＸは、ＦＰＤ３０の各画素４０から出力される信号の位相ズレ量ψ（被写体Ｈがある場合とない場合とでの各画素４０の信号の位相のズレ量）に、次式（１５）のように関連している。
【００８２】
【数１５】
2014014379.tif 000017
【００８３】
したがって、各画素４０の信号の位相ズレ量ψを求めることにより、式（１５）から屈折角φが求まり、式（１４）を用いて位相シフト分布Φ（Ｘ）の微分量が求まるから、これをＸについて積分することにより、被写体Ｈの位相シフト分布Φ（Ｘ）、すなわち被写体Ｈの位相コントラスト画像を生成することができる。本Ｘ線撮影システム１０では、上記位相ズレ量ψを、下記に示す縞走査法を用いて算出する。
【００８４】
縞走査法では、第１及び第２の吸収型格子３１，３２の一方を他方に対して相対的にＸ方向にステップ的に並進移動させながら撮影を行う（すなわち、両者の格子周期の位相を変化させながら撮影を行う）。本Ｘ線撮影システム１０では、前述の走査機構３３により第２の吸収型格子３２を移動させているが、第１の吸収型格子３１を移動させてもよい。第２の吸収型格子３２の移動に伴って、モアレ縞が移動し、並進距離（Ｘ方向への移動量）が、第２の吸収型格子３２の格子周期の１周期（格子ピッチｐ２）に達すると（すなわち、位相変化が２πに達すると）、モアレ縞は元の位置に戻る。このようなモアレ縞の変化を、格子ピッチｐ２を整数分の１ずつ第２の吸収型格子３２を移動させながら、ＦＰＤ３０でモアレ縞を撮影し、撮影した複数の縞画像から各画素４０の信号を取得し、演算処理部２２で演算処理することにより、各画素４０の信号の位相ズレ量ψを得る。
【００８５】
図８は、格子ピッチｐ２をＭ（２以上の整数）個に分割した走査ピッチ（ｐ２／Ｍ）ずつ第２の吸収型格子３２を移動させる様子を模式的に示す。
【００８６】
走査機構３３は、ｋ＝０，１，２，・・・，Ｍ−１のＭ個の各走査位置に、第２の吸収型格子３２を順に並進移動させる。なお、同図では、第２の吸収型格子３２の初期位置を、被写体Ｈが存在しない場合における第２の吸収型格子３２の位置でのＧ１像の暗部が、Ｘ線遮蔽部３２ｂにほぼ一致する位置（ｋ＝０）としているが、この初期位置は、ｋ＝０，１，２，・・・，Ｍ−１のうちいずれの位置としてもよい。
【００８７】
まず、ｋ＝０の位置では、主として、被写体Ｈにより屈折されなかったＸ線が第２の吸収型格子３２を通過する。次に、ｋ＝１，２，・・・と順に第２の吸収型格子３２を移動させていくと、第２の吸収型格子３２を通過するＸ線は、被写体Ｈにより屈折されなかったＸ線の成分が減少する一方で、被写体Ｈにより屈折されたＸ線の成分が増加する。特に、ｋ＝Ｍ／２では、主として、被写体Ｈにより屈折されたＸ線のみが第２の吸収型格子３２を通過する。ｋ＝Ｍ／２を超えると、逆に、第２の吸収型格子３２を通過するＸ線は、被写体Ｈにより屈折されたＸ線の成分が減少する一方で、被写体Ｈにより屈折されなかったＸ線の成分が増加する。
【００８８】
ｋ＝０，１，２，・・・，Ｍ−１の各位置で、ＦＰＤ３０により撮影を行うと、各画素４０について、Ｍ個の信号値（画素データ）が得られる。以下に、このＭ個の信号値から各画素４０の信号の位相ズレ量ψを算出する方法を説明する。第２の吸収型格子３２の位置ｋにおける各画素４０の信号値をＩｋ（Ｘ）と標記すると、Ｉｋ（Ｘ）は、次式（１６）で表される。
【００８９】
【数１６】
2014014379.tif 000018
【００９０】
ここで、Ｘは、画素４０のＸ方向に関する座標であり、Ａ０は入射Ｘ線の強度であり、Ａｎは画素４０の信号値のコントラストに対応する値である（ここで、ｎは正の整数である）。また、φ（Ｘ）は、上記屈折角φを画素４０の座標Ｘの関数として表したものである。
【００９１】
次いで、次式（１７）の関係式を用いると、上記屈折角φ（Ｘ）は、次式（１８）のように表される。
【００９２】
【数１７】
2014014379.tif 000019
【００９３】
【数１８】
2014014379.tif 000020
【００９４】
ここで、ａｒｇ［  ］は、偏角の抽出を意味しており、各画素４０の信号の位相ズレ量ψに対応する。したがって、各画素４０で得られたＭ個の信号値から、式（１８）に基づいて各画素４０の信号の位相ズレ量ψを算出することにより、屈折角φ（Ｘ）が求められる。
【００９５】
図９は、縞走査に伴って変化する放射線画像検出器の一つの画素の信号を示す。
【００９６】
各画素４０で得られたＭ個の信号値は、第２の吸収型格子３２の位置ｋに対して、格子ピッチｐ２の周期で周期的に変化する。図９中の破線は、被写体Ｈが存在しない場合の信号値の変化を示しており、図９中の実線は、被写体Ｈが存在する場合の信号値の変化を示している。この両者の波形の位相差が各画素４０の信号の位相ズレ量ψに対応する。
【００９７】
そして、屈折角φ（Ｘ）は、上記式（１４）で示したように微分位相値に対応する値であるため、屈折角φ（Ｘ）をＸ軸に沿って積分することにより、位相シフト分布Φ（Ｘ）が得られる。なお、上記の説明では、画素４０のｙ方向に関するｙ座標を考慮していないが、各ｙ座標について同様の演算を行うことにより、Ｘ方向及びｙ方向における２次元的な位相シフト分布Φ（Ｘ，ｙ）が得られる。
【００９８】
以上の演算は、演算処理部２２により行われ、演算処理部２２は、位相コントラスト画像を記憶部２３に記憶させる。
【００９９】
以上の演算において、位相ズレ量ψを算出するための各画素４０のＭ個の信号値の変化は、第２の吸収型格子３２の走査によってもたらされる必要がある。そのためには、Ｘ線源１１から撮影部１２に照射されるＸ線の照射線量が撮影間でほぼ一定していることが求められる。
【０１００】
図１０は、Ｘ線撮影システム１０による撮影フローを示す。
【０１０１】
本Ｘ線撮影システム１０においては、第２の吸収型格子３２がｋ＝０の位置（図８参照）に置かれる１回目の撮影では、線量検出器３５によって検出される線量に基づいて露光制御が行われる。そして、第２の吸収型格子３２がＫ＝１，２・・・，Ｍ−１の各位置（図８参照）に置かれる２回目以降の撮影では、１回目の撮影に要した露光時間に基づいて露光制御が行われる。
【０１０２】
まず、１回目の撮影では、制御装置２０が、Ｘ線の照射開始を指示する制御信号をＸ線源制御部１７に送出する。この制御信号を受信したＸ線制御部１７は、Ｘ線管１８への電力の供給を開始するように高電圧発生器１６を制御する。それにより、被写体ＨへのＸ線の照射が開始される（ステップＳ１）。
【０１０３】
線量検出器３５は、Ｘ線の照射開始から受光部に入射する累積のＸ線の線量を検出する。線量検出器３５によって検出される線量に対して、例えば被写体Ｈによって異なる必要露光量を考慮して、閾値線量が予め設定される。線量検出器３５は、検出したＸ線の線量が閾値線量に達したところで、閾値線量に達したことを表す制御信号を制御装置２０に送出する（ステップＳ２）。
【０１０４】
線量検出器３５から送出された制御信号を受信した制御装置２０は、Ｘ線の照射停止を指示する制御信号をＸ線源制御部１７に送出する。この制御信号を受信したＸ線制御部１７は、Ｘ線管１８への電力の供給を停止するように高電圧発生器１６を制御する。それにより、被写体ＨへのＸ線の照射が停止される（ステップＳ３）。
【０１０５】
制御装置２０は、１回目の撮影に要した露光時間Ｔ０、即ち、Ｘ線源制御部１７に対してＸ線の照射開始を指示する制御信号を送出してから照射停止を指示する制御信号を送出するまでの時間を計測しており、これを記憶する。
【０１０６】
次いで、２回目以降の撮影では、制御装置２０は、Ｘ線の照射開始を指示する制御信号をＸ線源制御部１７に送出する。この制御信号を受信したＸ線制御部１７は、Ｘ線管１８への電力の供給を開始するように高電圧発生器１６を制御する。それにより、被写体ＨへのＸ線の照射が開始される（ステップＳ４）。
【０１０７】
ここで、２回目以降の撮影においては、第２の吸収型格子３２の走査に伴いモアレ縞が移動し、線量検出器３５の受光部とモアレ縞の暗部との重なりの程度に応じて、線量検出器３５の受光部に単位時間当たりに入射する線量が変化する。よって、２回目以降の各撮影において、線量検出器３５により検出される線量が上記の閾値線量に達するまでに要する時間は、１回目の撮影において線量検出器３５により検出される線量が上記の閾値線量に達するまでに要した露光時間Ｔ０と相違する。そのため、２回目以降の各撮影においも、線量検出器３５により検出される線量に基づいて露光制御を行った場合には、露光時間が撮影間でバラツキ、結果、照射線量にバラツキが生じることとなる。
【０１０８】
そこで、制御装置２０は、Ｘ線源制御部１７に対してＸ線の照射開始を指示する制御信号を送出してからの経過時間Ｔを計測し、経過時間Ｔが、記憶している１回目の撮影に要した露光時間Ｔ０に達したところで、Ｘ線の照射停止を指示する制御信号をＸ線源制御部１７に送出する（ステップＳ５）。この制御信号を受信したＸ線制御部１７は、Ｘ線管１８への電力の供給を停止するように高電圧発生器１６を制御する。それにより、被写体ＨへのＸ線の照射が停止される（ステップＳ６）。
【０１０９】
このように、１回目の撮影では、線量検出器３５によって検出される線量に基づいて露光制御が行われ、２回目以降の撮影では、１回目の撮影に要した露光時間Ｔ０に基づいて露光制御が行われることにより、被写体Ｈによって異なる必要露光量が確保されると共に、撮影間の照射線量のバラツキが防止される。それにより、高精度な放射線位相コントラスト画像を生成することができる。
【０１１０】
ここで、線量検出器３５の受光部にモアレ縞の暗部が重なっている場合と、受光部にモアレ縞の暗部が重なっていない場合とで、受光部に単位時間当たりに入射する線量は後者の場合に多くなり、閾値線量に達するまでに要する時間は後者の場合に短くなる。１回目の撮影において、線量検出器３５の受光部にモアレ縞の暗部が重なっておらず、その状態で露光時間Ｔ０が定められると、２回目以降の撮影も含めて、モアレ縞の暗部が重なるＦＰＤ３０の画素４０に入射するＸ線の線量が不足し、その画素の信号のＳ／Ｎが低下する可能性がある。
【０１１１】
そこで、１回目の撮影においては線量検出器３５の受光部にモアレ縞の暗部が重なっていないとの想定のもと、ＦＰＤ３０の画素４０が飽和することのない範囲で、かつ被写体Ｈに許容される被爆量の範囲で、閾値線量を若干高めに設定することが好ましい。また、ＦＰＤ３０の画素４０の飽和出力に対し、読み出し回路４３は、積分アンプ回路、Ａ／Ｄ変換器等の各入力が飽和しないように設計あるいは設定可能に構成することが好ましい。それにより、２回目以降の撮影も含めて、モアレ縞の暗部が重なる画素４０においても、その画素に入射するＸ線の線量が確保され、その画素の信号のＳ／Ｎが低下することを防止できる。
【０１１２】
なお、Ｘ線管１８への電力の供給の開始及び停止によってＸ線の照射と停止を切り替えるものとして説明したが、Ｘ線管１８への電力の供給は継続しつつ、コリメータ１９の開閉によってＸ線の照射と停止を切り替えてもよいし、開口部と遮蔽部とを交互に形成した円盤状（又はスリット状）のシャッター板をＸ線源１１の出射口に設け、これをＸ線の照射タイミングに同期するように回転（又は並進）させることにより、Ｘ線の照射と停止を切り替えてもよい。それによれば、Ｘ線管１８を安定した状態に保ち、照射線量のバラツキをより確実に防止することができる。
【０１１３】
上記の縞走査、及び位相コントラスト画像の生成処理は、入力装置２１から操作者により撮影指示がなされた後、制御装置２０の制御に基づいて各部が連係動作し、自動的に行われ、最終的に被写体Ｈの位相コントラスト画像がモニタ２４に表示される。
【０１１４】
以上、説明したように、本Ｘ線撮影システム１０によれば、１回目の撮影では、線量検出器３５によって検出される線量に基づいて露光制御が行われ、２回目以降の撮影では、１回目の撮影に要した露光時間Ｔ０に基づいて露光制御が行われることにより、被写体Ｈによって異なる必要露光量が確保されると共に、撮影間の照射線量のバラツキが防止される。それにより、高精度な放射線位相コントラスト画像を生成することができる。
【０１１５】
また、本Ｘ線撮影システム１０によれば、第１の吸収型格子３１で殆どのＸ線を回折させずに、第２の吸収型格子３２に線形的に投影するため、照射Ｘ線には、高い空間的可干渉性は要求されず、Ｘ線源１１として医療分野で用いられている一般的なＸ線源を用いることができる。そして、第１の吸収型格子３１から第２の吸収型格子３２までの距離Ｌ２を任意の値とすることができ、該距離Ｌ２を、タルボ干渉計での最小のタルボ干渉距離より小さく設定することができるため、撮影部１２を小型化（薄型化）することができる。更に、本Ｘ線撮影システムでは、第１の吸収型格子３１からの投影像（Ｇ１像）には、照射Ｘ線のほぼすべての波長成分が寄与し、モアレ縞のコントラストが向上するため、位相コントラスト画像の検出感度を向上させることができる。
【０１１６】
なお、本Ｘ線撮影システム１０は、第１の格子の投影像に対して縞走査を行って屈折角φを演算するものであって、そのため、第１及び第２の格子がいずれも吸収型格子であるものとして説明したが、本発明はこれに限定されるものではない。上述のとおり、タルボ干渉像に対して縞走査を行って屈折角φを演算する場合にも、本発明は有用である。よって、第１の格子は、吸収型格子に限らず位相型格子であってもよい。また、第１の格子のＸ線像と第２の格子との重ね合わせによって形成されるモアレ縞の解析方法は、前述した縞走査法に限られず、例えば「J. Opt. Soc. Am. Vol.72,No.1 (1982) p.156」により知られているフーリエ変換／フーリエ逆変換を用いた方法など、モアレ縞を利用した種々の方法も適用可能である。
【０１１７】
また、本Ｘ線撮影システム１０は、位相シフト分布Φを画像としたものを位相コントラスト画像として記憶ないし表示するものとして説明したが、上記のとおり、位相シフト分布Φは、屈折角φより求まる位相シフト分布Φの微分量を積分したものであって、屈折角φ及び位相シフト分布Φの微分量もまた被写体によるＸ線の位相変化に関連している。よって、屈折角φを画像としたもの、また、位相シフトΦの微分量を画像としたものも位相コントラスト画像に含まれる。
【０１１８】
また、本Ｘ線撮影システム１０においては、線量検出器３５がＦＰＤ３０の裏に配置されているが、第２の吸収型格子３２とＦＰＤ３０との間に線量検出器３５を配置することもできる。更に、線量検出器３５と同等の構成をＸ線画像検出器自体が有していてもよく、具体的な態様としては、特開２００４−１３００５８号公報に開示された構成のＸ線画像検出器を用いることができ、それによって線量検出器３５を排することができる。このＸ線画像検出器は、図１１に示すように、モアレ縞を撮影するための複数の画素４０とは別に、線量を検出するための画素（光電変換素子）４７を備えている。画素４７は、画素４０の群とは異なる読み出し回路４８に接続され、スイッチッチングなしに、入射光量に応じて電荷を常に出力することができるよう構成されている。画素４７から読み出された電荷は、読み出し回路４８において増幅され、その出力を加算器（不図示）で加算していくことによって、１回目の撮影においてＸ線の照射開始から画素４７に入射する累積のＸ線の線量が検出される。
【０１１９】
図１２は、放射線撮影システム１０の変形例における撮影フローを示す。
【０１２０】
本変形例においては、被写体Ｈが配置されていない状態で、露光時間を一定として複数回のプレ撮影が行われる。そして、複数回のプレ撮影の際に線量検出器３５によって検出される線量の変化に基づいて、被写体Ｈが配置された状態で行われる複数回の撮影における第２の吸収型格子３２の初期位置が設定される。
【０１２１】
まず、被写体Ｈが配置されていない状態で、露光時間を一定とし、第２の吸収型格子３２をｋ＝０，１，２・・・，Ｍ−１の各位置（図８参照）に置いて複数回のプレ撮影が行われる（ステップＳＳ１〜ＳＳ６）。
【０１２２】
制御装置２２は、各プレ撮影において線量検出器３５によって検出される線量を記憶し、それらなかで最小の線量が検出されたプレ撮影を判定する。そして、最小の線量が検出されたプレ撮影における第２の吸収型格子３２の位置（ｋｍｉｎ）を、被写体Ｈが配置された状態で行われる複数回の撮影における第２の吸収型格子３２の初期位置に設定する（ステップＳＳ７）。露光時間を一定とした複数回のプレ撮影のなかで最小の線量が検出されたプレ撮影では、線量検出器３５の受光部にモアレ縞の暗部が重なっているか、あるいは重なりが大きいといえる。
【０１２３】
次いで、被写体Ｈが配置され、第２の吸収型格子３２が上記の初期位置（ｋｍｉｎ）に置かれ、線量検出器３５によって検出される線量が予め設定された閾値線量に達するまで露光を継続して１回目の撮影が行われる（ステップＳ１〜Ｓ３）。そして、第２の吸収型格子３２を所定の走査ピッチ（ｐ２／Ｍ）ずつ移動させながら、１回目の撮影に要した露光時間が経過するまで露光を継続して２回目以降の撮影が行われる（ステップＳ４〜Ｓ６）。
【０１２４】
本変形例によれば、１回目の撮影において、線量検出部３５の受光部にモアレ縞の暗部が重なった状態で線量の検出がなされるので、２回目以降の撮影も含めて、モアレ縞の暗部が重なるＦＰＤ３０の画素４０においても、その画素に入射するＸ線の線量が確保され、その画素の信号のＳ／Ｎが低下することを防止できる。そして、１回目の撮影において線量検出器３５の受光部にモアレ縞の暗部が重なっていないとの想定のもとで常に閾値線量を高めに設定する場合に比べて、より適切な露光制御が可能となる。
【０１２５】
なお、被写体Ｈが配置された状態で行われる複数回の撮影における第２の吸収型格子３２の初期位置は、好ましくは、複数回のプレ撮影のうち最小の線量が検出されたプレ撮影における第２の吸収型格子３２の位置であるが、これに限られるものではない。例えば、複数回のプレ撮影において検出される線量の変化のなかで略中間の線量が検出されたプレ撮影における第２の吸収型格子３２の位置を初期位置とすることもでき、その場合にも、モアレ縞の暗部が重なる画素４０の信号のＳ／Ｎの低下を軽減できる。
【０１２６】
図１３は、放射線撮影システム１０の他の変形例における撮影フローを示す。
【０１２７】
本変形例においては、被写体Ｈが配置されていない状態で、露光時間を一定として複数回のプレ撮影が行われる。そして、複数回のプレ撮影の際に線量検出器３５によって検出される線量の変化に基づいて、線量検出器３５によって検出される線量に対する閾値線量が補正される。
【０１２８】
まず、被写体Ｈが配置されていない状態で、露光時間を一定とし、第２の吸収型格子３２をｋ＝０，１，２・・・，Ｍ−１の各位置（図８参照）に置いて複数回のプレ撮影が行われる（ステップＳＳ１〜ＳＳ６）。
【０１２９】
制御装置２２は、各プレ撮影において線量検出器３５によって検出される線量を記憶し、それらのうち最小の線量と１回目のプレ撮影で検出された線量との差分Δを求め、差分Δが大きいほど線量検出器３５によって検出される線量に対する閾値線量が大きくなるよう、閾値線量を補正する（ステップＳＳ７）。差分Δが大きいほど、１回目のプレ撮影において、線量検出器３５の受光部とモアレ縞の暗部との重なりが大きいといえる。なお、差分Δに応じた閾値線量の補正量は、ＦＰＤ３０の画素４０が飽和することのない範囲で適宜定められる。
【０１３０】
次いで、被写体Ｈが配置され、第２の吸収型格子３２が上記の初期位置（ｋ＝０）に置かれ、線量検出器３５によって検出される線量が予め設定された閾値線量に達するまで露光を継続して１回目の撮影が行われる（ステップＳ１〜Ｓ３）。そして、第２の吸収型格子３２を所定の走査ピッチ（ｐ２／Ｍ）ずつ移動させながら、１回目の撮影に要した露光時間が経過するまで露光を継続して２回目以降の撮影が行われる（ステップＳ４〜Ｓ６）。
【０１３１】
本変形例によれば、１回目の撮影における線量検出部３５の受光部とモアレ縞の暗部との重なりの程度に応じて、閾値線量が補正されているので、２回目以降の撮影も含めて、モアレ縞の暗部が重なるＦＰＤ３０の画素４０においても、その画素に入射するＸ線の線量が確保され、その画素の信号のＳ／Ｎが低下することを防止できる。そして、１回目の撮影においては線量検出器３５の受光部にモアレ縞の暗部が重なっていないとの想定のもと常に閾値線量を高めに設定する場合に比べて、より適切な露光制御が可能となる。
【０１３２】
図１４は、Ｘ線撮影システム１０の他の変形例における撮影方法を示す。
【０１３３】
前述した変形例は、いずれも、１回目の撮影における線量検出器３５の受光部とモアレ縞の暗部との重なりの程度、つまりは線量検出器３５とモアレ縞との相対位置関係によって、線量検出器３５の受光部に単位時間当たりに入射するＸ線の線量が変化することに対処するものであるが、線量検出器３５の受光部に入射するＸ線の線量の変化を抑制するようにしてもよい。
【０１３４】
本変形例では、モアレ縞の周期Ｔを、周期方向に関する線量検出器３５の受光部の寸法Ｗよりも小さくしている。モアレ縞の周期Ｔは、例えば上記の相対回転機構５０や相対傾斜機構５１や相対移動機構５２によって変更される。この場合、モアレ縞の複数の明部及び暗部が線量検出器３５の受光部に重なり、これらの明部及び暗部が平均化されて線量の検出がなされる。よって、線量検出器３５に単位時間当たりに入射するＸ線の線量は、線量検出器３５とモアレ縞との相対位置関係によらずほぼ一定する。それにより、複数回のプレ撮影を行うことなく、線量検出器３５によって検出される線量に基づいて適切な露光時間を定めることができ、モアレ縞の暗部が重なる画素４０において線量が不足することを回避できる。
【０１３５】
図１５は、本発明の実施形態を説明するための放射線撮影システムの他の例を示す。
【０１３６】
図１５に示すマンモグラフィ装置８０は、被検体として乳房ＢのＸ線画像（位相コントラスト画像）を撮影する装置である。マンモグラフィ装置８０は、基台（図示せず）に対して旋回可能に連結されたアーム部材８１の一端に配設されたＸ線源収納部８２と、アーム部材８１の他端に配設された撮影台８３と、撮影台８３に対して上下方向に移動可能に構成された圧迫板８４とを備える。
【０１３７】
Ｘ線源収納部８２にはＸ線源１１が収納されており、撮影台８３には撮影部１２が収納されている。Ｘ線源１１と撮影部１２とは、互いに対向するように配置されている。圧迫板８４は、移動機構（図示せず）により移動し、撮影台８３との間で乳房Ｂを挟み込んで圧迫する。この圧迫状態で、上記したＸ線撮影が行われる。
【０１３８】
なお、Ｘ線源１１及び撮影部１２は、前述したＸ線撮影システム１０のものと同様の構成であるため、各構成要素には、Ｘ線撮影システム１０と同一の符号を付している。その他の構成及び作用については、Ｘ線撮影システム１０と同様であるため説明は省略する。
【０１３９】
図１６は、図１５の放射線撮影システムの変形例を示す。
【０１４０】
図１６に示すマンモグラフィ装置９０は、第１の吸収型格子３１がＸ線源１１と圧迫板８４との間に配設されている点が前述したマンモグラフィ装置８０と異なる。第１の吸収型格子３１は、アーム部材８１に接続された格子収納部９１に収納されている。撮影部９２は、ＦＰＤ３０、第２の吸収型格子３２、走査機構３３、及び線量検出器３５により構成されている。線量検出器３５は、ＦＰＤ３０の裏に配置されている。
【０１４１】
このように、被検体（乳房）Ｂが第１の吸収型格子３１と第２の吸収型格子３２との間に位置する場合であっても、第２の吸収型格子３２の位置に形成される第１の吸収型格子３１の投影像（Ｇ１像）が被検体Ｂにより変形する。したがって、この場合でも、被検体Ｂに起因して変調されたモアレ縞をＦＰＤ３０により検出することができる。すなわち、本マンモグラフィ装置９０でも前述した原理で被検体Ｂの位相コントラスト画像を得ることができる。
【０１４２】
そして、本マンモグラフィ装置９０では、第１の吸収型格子３１による遮蔽により、線量がほぼ半減したＸ線が被検体Ｂに照射されることになるため、被検体Ｂの被曝量を、前述したマンモグラフィ装置８０の場合の約半分に低減することができる。なお、本マンモグラフィ装置９０のように、第１の吸収型格子３１と第２の吸収型格子３２との間に被検体を配置することは、前述したＸ線撮影システム１０にも適用することが可能である。
【０１４３】
図１７は、本発明の実施形態を説明するための放射線撮影システムの他の例を示す。
【０１４４】
Ｘ線撮影システム１００は、Ｘ線源１０１のコリメータユニット１０２に、マルチスリット１０３を配設した点が、前述したＸ線撮影システム１０と異なる。その他の構成については、前述したＸ線撮影システム１０と同一であるので説明は省略する。
【０１４５】
前述したＸ線撮影システム１０では、Ｘ線源１１からＦＰＤ３０までの距離を、一般的な病院の撮影室で設定されるような距離（１ｍ〜２ｍ）とした場合に、Ｘ線焦点１８ｂの焦点サイズ（一般的に０．１ｍｍ〜１ｍｍ程度）によるＧ１像のボケが影響し、位相コントラスト画像の画質の低下をもたらす恐れがある。そこで、Ｘ線焦点１８ｂの直後にピンホールを設置して実効的に焦点サイズを小さくすることが考えられるが、実効的な焦点サイズを縮小するためにピンホールの開口面積を小さくすると、Ｘ線強度が低下してしまう。本Ｘ線撮影システム１００においては、この課題を解決するために、Ｘ線焦点１８ｂの直後にマルチスリット１０３を配置する。
【０１４６】
マルチスリット１０３は、撮影部１２に設けられた第１及び第２の吸収型格子３１，３２と同様な構成の吸収型格子（第３の吸収型格子）であり、一方向（ｙ方向）に延伸した複数のＸ線遮蔽部が、第１及び第２の吸収型格子３１，３２のＸ線遮蔽部３１ｂ，３２ｂと同一方向（Ｘ方向）に周期的に配列されている。このマルチスリット１０３は、Ｘ線焦点１８ｂから放射される放射線を部分的に遮蔽することにより、Ｘ方向に関する実効的な焦点サイズを縮小して、Ｘ方向に多数の点光源（分散光源）を形成することを目的としている。
【０１４７】
このマルチスリット１０３の格子ピッチｐ３は、マルチスリット１０３から第１の吸収型格子３１までの距離をＬ３として、次式（１９）を満たすように設定する必要がある。
【数１９】
2014014379.tif 000021
【０１４８】
上記式（１９）は、マルチスリット１０３により分散形成された各点光源から射出されたＸ線の第１の吸収型格子３１による投影像（Ｇ１像）が、第２の吸収型格子３２の位置で一致する（重なり合う）ための幾何学的な条件である。
【０１４９】
また、実質的にマルチスリット１０３の位置がＸ線焦点位置となるため、第２の吸収型格子３２の格子ピッチｐ２及び間隔ｄ２は、次式（２０）及び（２１）の関係を満たすように決定される。
【０１５０】
【数２０】
2014014379.tif 000022
【０１５１】
【数２１】
2014014379.tif 000023
【０１５２】
このように、本Ｘ線撮影システム１００では、マルチスリット１０３により形成される複数の点光源に基づくＧ１像が重ね合わせられることにより、Ｘ線強度を低下させずに、位相コントラスト画像の画質を向上させることができる。以上説明したマルチスリット１０３は、前述したいずれのＸ線撮影システムにおいても適用可能である。
【０１５３】
図１８は、本発明の実施形態を説明するための放射線撮影システムの他の例を示す。
【０１５４】
前述した各Ｘ線撮影システムによれば、これまで描出が難しかったＸ線弱吸収物体の高コントラストな画像（位相コントラスト画像）が得られるが、更に、位相コントラスト画像と対応して吸収画像が参照できることは読影の助けになる。例えば、吸収画像と位相コントラスト画像を重み付けや階調、周波数処理などの適当な処理によって重ね合わせることにより吸収画像で表現できなかった部分を位相コントラスト画像の情報で補うことは有効である。しかし、位相コントラスト画像とは別に吸収画像を撮影することは、位相コントラスト画像の撮影と吸収画像の撮影の間の撮影肢位のズレによって良好な重ね合わせを困難にするのに加え、撮影回数が増えることにより被検者の負担となる。また、近年、位相コントラスト画像や吸収画像の他に、小角散乱画像が注目されている。小角散乱画像は、被検体組織内部の微細構造に起因する組織性状を表現可能であり、例えば、ガンや循環器疾患といった分野での新しい画像診断のための表現方法として期待されている。
【０１５５】
そこで、本Ｘ線撮影システムは、位相コントラスト画像のために取得した複数枚の画像から、吸収画像や小角散乱画像を生成することも可能とする演算処理部１９０を用いる。なお、その他の構成については、前述したＸ線撮影システム１０と同一であるので説明は省略する。演算処理部１９０は、位相コントラスト画像生成部１９１、吸収画像生成部１９２、小角散乱画像生成部１９３が構成されている。これらは、いずれもｋ＝０，１，２，・・・，Ｍ−１のＭ個の各走査位置で得られる画像データに基づいて演算処理を行う。このうち、位相コントラスト画像生成部１９１は、前述の手順に従って位相コントラスト画像を生成する。
【０１５６】
吸収画像生成部１９２は、画素ごとに得られる画素データＩｋ（Ｘ，ｙ）を、図１９に示すように、ｋについて平均化して平均値を算出して画像化することにより吸収画像を生成する。なお、平均値の算出は、画素データＩｋ（Ｘ，ｙ）をｋについて単純に平均化することにより行なっても良いが、Ｍが小さい場合には誤差が大きくなるため、画素データＩｋ（Ｘ，ｙ）を正弦波でフィッティングした後、フィッティングした正弦波の平均値を求めるようにしてもよい。また、吸収画像の生成には、平均値に限られず、平均値に対応する量であれば、画素データＩｋ（Ｘ，ｙ）をｋについて加算した加算値等を用いることが可能である。
【０１５７】
小角散乱画像生成部１９３は、画素ごとに得られる画素データＩｋ（Ｘ，ｙ）の振幅値を算出して画像化することにより小角散乱画像を生成する。なお、振幅値の算出は、画素データＩｋ（Ｘ，ｙ）の最大値と最小値との差を求めることによって行なっても良いが、Ｍが小さい場合には誤差が大きくなるため、画素データＩｋ（Ｘ，ｙ）を正弦波でフィッティングした後、フィッティングした正弦波の振幅値を求めるようにしても良い。また、小角散乱画像の生成には、振幅値に限られず、平均値を中心としたばらつきに対応する量として、分散値や標準偏差等を用いることが可能である。
【０１５８】
本Ｘ線撮影システムによれば、被写体の位相コントラスト画像のために取得した複数枚の画像から吸収画像や小角散乱画像を生成するので、吸収画像や小角散乱画像の撮影の間の撮影肢位のズレが生じず、位相コントラスト画像と吸収画像や小角散乱画像との良好な重ね合わせが可能となるとともに、吸収画像や小角散乱画像のために別途撮影を行う場合に比べて被写体の負担を軽減することができる。
【０１５９】
なお、前述した各Ｘ線撮影システムでは、放射線として一般的なＸ線を用いる場合について説明したが、本発明に用いられる放射線はＸ線に限られるものではなく、α線、γ線等のＸ線以外の放射線を用いることも可能である。
【０１６０】
以上、説明したように、本明細書には、第１の格子と、前記第１の格子を通過した放射線によって形成される放射線像のパターン周期に実質的に一致する周期を有し、前記放射線像に対して互いに位相の異なる複数の相対位置に置かれる第２の格子と、前記第２の格子によってマスキングされる前記放射線像を検出する放射線画像検出器と、前記第２の格子を通過する放射線の進行方向に前記第２の格子の下流に位置し、入射する放射線量を検出する線量検出部と、露光を制御する制御部と、を備え、前記制御部は、前記第２の格子が互いに異なる前記相対位置に置かれる複数回の撮影において、１回目の撮影では、前記線量検出部によって検出される線量が予め設定された閾値線量に達するまで露光を継続するよう制御し、２回目以降の撮影では、前記１回目の撮影において要した露光時間が経過するまで露光を継続するよう制御する放射線撮影システムが開示されている。
【０１６１】
また、本明細書に開示された放射線撮影システムは、前記制御部が、露光時間を一定として前記第２の格子が互いに異なる前記相対位置に置かれる複数回のプレ撮影を行った際に前記線量検出部によって検出される線量の変化に基づいて、前記１回目の撮影における前記第２の格子の相対位置を定める。
【０１６２】
また、本明細書に開示された放射線撮影システムは、前記制御部が、前記複数回のプレ撮影を行った際に前記線量検出部によって検出される変化のなかで最小の線量が検出されるプレ撮影での前記第２の格子の相対位置を、前記１回目の撮影における前記第２の格子の相対位置とする。
【０１６３】
また、本明細書に開示された放射線撮影システムは、前記制御部が、露光時間を一定として前記第２の格子が互いに異なる前記相対位置に置かれる複数回のプレ撮影を行った際に前記線量検出部によって検出される線量の変化に基づいて、前記閾値線量を補正する。
【０１６４】
また、本明細書に開示された放射線撮影システムは、前記複数回のプレ撮影を行った際の１回目のプレ撮影において前記線量検出部によって検出される線量が、その変化における最小の線量よりも大きい程、前記制御部が、前記閾値線量を大きくする放射線撮影システム。
【０１６５】
また、本明細書に開示された放射線撮影システムは、前記第２の格子によってマスキングされた前記放射線像のパターン周期が、その周期方向に関する前記線量検出部の受光部の寸法より短い。
【０１６６】
また、本明細書に開示された放射線撮影システムは、前記第１の格子に対する前記第２の格子の相対姿勢及び相対位置の少なくともいずれか一方を変化させ、前記第２の格子によってマスキングされた前記放射線像のパターン周期を変更する変更機構を更に備える。
【０１６７】
また、本明細書に開示された放射線撮影システムは、前記変更機構が、前記第１の格子に照射される放射線の光軸まわりに、前記第１の格子及び前記第２の格子の少なくともいずれか一方を回転させる。
【０１６８】
また、本明細書に開示された放射線撮影システムは、前記変更機構が、前記第１の格子に照射される放射線の光軸に対して、前記第１の格子及び前記第２の格子の少なくともいずれか一方を傾斜させる。
【０１６９】
また、本明細書に開示された放射線撮影システムは、前記変更機構が、前記第１の格子に照射される放射線の光軸に沿って前記第１の格子及び前記第２の格子の少なくともいずれか一方を移動させる。
【０１７０】
また、本明細書に開示された放射線撮影システムは、前記線量検出部が、前記第２の格子と前記放射線画像検出器との間に配置されている。
【０１７１】
また、本明細書に開示された放射線撮影システムは、前記線量検出部が、前記放射線画像検出器に設けられている。
【０１７２】
また、本明細書に開示された放射線撮影システムは、前記線量検出部が、前記放射線画像検出器の裏に配置されている。
【０１７３】
また、本明細書に開示された放射線撮影システムは、前記放射線画像検出器で取得される複数の放射線画像から、前記放射線画像検出器に入射する放射線の屈折角の分布を演算し、この屈折角の分布に基づいて、被写体の位相コントラスト画像を生成する演算部を更に備える。
【０１７４】
また、本明細書に開示された放射線撮影システムは、前記第１の格子に向けて放射線を照射する放射線源を更に備える。
【０１７５】
また、本明細書には、第１の格子と、前記第１の格子を通過した放射線によって形成される放射線像のパターン周期に実質的に一致する周期を有する第２の格子と、を用い、前記第２の格子を前記放射線像に対して互いに位相の異なる相対位置に置いて複数回の撮影を行い、撮影毎に前記第２の格子によってマスキングされた前記放射線像を検出する放射線撮影方法であって、１回目の撮影においては、前記第２の格子を通過する放射線の進行方向に前記第２の格子の下流において検出される線量が予め設定された閾値線量に達するまで露光を継続し、２回目以降の撮影では、前記１回目の撮影において要した露光時間が経過するまで露光を継続する放射線撮影方法が開示されている。
【０１７６】
また、本明細書に開示された放射線撮影方法は、露光時間を一定として前記第２の格子を前記放射線像に対して互いに位相の異なる相対位置に置いて複数回のプレ撮影を行い、その際に前記第２の格子の下流において検出される線量の変化に基づいて、前記１回目の撮影における前記第２の格子の相対位置を定める。
【０１７７】
また、本明細書に開示された放射線撮影方法は、前記複数回のプレ撮影を行った際に検出される前記線量の変化のなかで最小の線量が検出されるプレ撮影での前記第２の格子の相対位置を、前記１回目の撮影における前記第２の格子の相対位置とする。
【０１７８】
また、本明細書に開示された放射線撮影方法は、露光時間を一定として前記第２の格子を前記放射線像に対して互いに位相の異なる相対位置に置いて複数回のプレ撮影を行い、その際に前記第２の格子の下流において検出される線量の変化に基づいて、前記閾値線量を補正する。
【０１７９】
また、本明細書に開示された放射線撮影方法は、前記複数回のプレ撮影を行った際の１回目のプレ撮影において検出される前記線量が、その変化における最小の線量よりも大きい程、前記閾値線量を大きくする。
【０１８０】
また、本明細書に開示された放射線撮影方法は、前記第２の格子によってマスキングされた前記放射線像のパターン周期を、前記第２の格子の下流において線量を検出する線量検出器の受光部の周期方向に関する寸法より短くして、前記複数回の撮影を行う。
【０１８１】
また、本明細書に開示された放射線撮影方法は、前記第１の格子に対する前記第２の格子の相対姿勢及び相対位置の少なくともいずれか一方を変化させ、前記第２の格子によってマスキングされた前記放射線像のパターン周期を変更する。
【符号の説明】
【０１８２】
１０   Ｘ線撮影システム
１１   Ｘ線源
１２   撮影部
１３   コンソール
２０   制御装置
３０   ＦＰＤ
３１   第１の吸収型格子
３２   第２の吸収型格子
３３   走査機構
３５   線量検出器
４０   画素
【図１】
2014014379.tif 000024
【図２】
2014014379.tif 000025
【図３】
2014014379.tif 000026
【図４】
2014014379.tif 000027
【図５】
2014014379.tif 000028
【図６】
2014014379.tif 000029
【図７】
2014014379.tif 000030
【図８】
2014014379.tif 000031
【図９】
2014014379.tif 000032
【図１０】
2014014379.tif 000033
【図１１】
2014014379.tif 000034
【図１２】
2014014379.tif 000035
【図１３】
2014014379.tif 000036
【図１４】
2014014379.tif 000037
【図１５】
2014014379.tif 000038
【図１６】
2014014379.tif 000039
【図１７】
2014014379.tif 000040
【図１８】
2014014379.tif 000041
【図１９】
2014014379.tif 000042